(57)【特許請求の範囲】
【請求項１】
床面に立設された、前後面にパネルが取付け可能なフレームを備える間仕切パネル本体における前記フレームの少なくとも前面に、左右両方向に開口する通線孔を有する複数の縦支持杆を、左右方向に間隔を設けて取付け、互いに隣接する縦支持杆の前面に、前面パネルを取付けることにより、前記間仕切パネル本体の前面に、左右及び上下方向に連続する通線空間を内部に有する配線収容体を設けたことを特徴とする間仕切り装置。
【請求項２】
フレームの前面に、上下１対の横支持杆を取付け、この両横支持杆における側端部の前面に、縦支持杆を固着してなる請求項１記載の間仕切り装置。
【請求項３】
左右の縦支持杆の対向面間に、配線トレーを架設してなる請求項１または２記載の間仕切り装置。
【請求項４】
配線トレーの両側端に下向側片を設け、この両下向側片を、縦支持杆の内側面に設けた互いに前後に対向する内向折曲片の上縁に、上方より係止することにより、配線トレーを、左右の縦支持杆の対向面に架設してなる請求項３記載の間仕切り装置。
【請求項５】
配線トレーの上面と縦支持杆の通線孔とを連続させてなる請求項３または４記載の間仕切り装置。
【請求項６】
配線トレーに、上下両方向に開口する通線孔を設けてなる請求項３〜５のいずれかに記載の間仕切り装置。
【請求項７】
前面パネルの両側端部の後面に設けた係止部を、左右の縦支持杆の前面に設けた被係止部に係止することにより、前面パネルを、縦支持杆の前面に着脱可能に取付けてなる請求項１〜６のいずれかに記載の間仕切り装置。
【請求項８】
通線空間の上端の開口面を、左右の縦支持杆の上面に取付けた、一部が上下方向に弾性変形しうる上カバーにより閉塞してなる請求項１〜７のいずれかに記載の間仕切り装置。
【請求項９】
通線空間の側端の開口面を、縦支持杆の側面に着脱可能に取付けられたサイドカバーにより閉塞してな請求項１〜８のいずれかに記載の間仕切り装置。
【請求項１０】
前面パネルを、左右複数に分割されたものとしてなる請求項１〜９のいずれかに記載の間仕切り装置。
【発明の詳細な説明】
【技術分野】
【０００１】
本発明は、通線空間を備える間仕切り装置に関する。
【背景技術】
【０００２】
最近のオフィスにおいては、パソコン等のＯＡ機器を用いた作業が不可欠となっており、このようなオフィスに設置される間仕切り装置の中には、間仕切パネル本体に取付けた天板上、もしくは間仕切パネル本体に近接して配置されたデスク上等で使用されるＯＡ機器のケーブルなどを、体裁よく配線するために、通線空間を設けたものがある(例えば特許文献１〜３参照)。
【特許文献１】特開２０００−７３４７７号公報
【特許文献２】特許第３５００３００号公報
【特許文献３】特許第３８７１１５８号公報
【発明の開示】
【発明が解決しようとする課題】
【０００３】
上記特許文献１及び２に記載されている間仕切り装置においては、いずれも、間仕切パネル本体における枠状をなすフレームの前後両面に、パネルを当接させて取付け、両パネルの対向面と、フレームにおける左右の支柱の対向面との間の空間を通線空間とし、この通線空間内において両支柱の対向面に取付けた配線ダクトまたはケーブル支持具により支持したケーブルを、パネルの側端部内面に設けた凹溝またはパネルの前面に設けた隙間等を通して、外部に配線しうるようにしている。
【０００４】
このような配線構造では、通線空間の前後幅が、間仕切パネル本体の前後の厚さの範囲内に限られるため、多くの執務者が使用するＯＡ機器等のケーブルを、通線空間に大量に収容して配線することができない。
また、ケーブル支持具及び配線ダクトを、左右の支柱の対向面に取付けてあるので、間仕切パネル本体を複数連結した際に、通線空間に収容した大量のケーブル等を、左右方向に連続させて整然と配線することができないという問題もある。
さらに、間仕切パネル本体の左右寸法が大きく、左右の支柱間の離間寸法が大であると、特許文献１のものにおいては、配線ダクトが下方に撓む恐れが、また特許文献２のものにおいては、通線空間内において、ケーブルが大きく垂れ下がる恐れがある。
【０００５】
一方、特許文献３に記載のものにおいては、間仕切パネル本体の支柱に、目隠しパネルを、側板を介して、パネルの前面または後面より離間させて取付け、両パネルの対向面間を通線空間としているので、上記特許文献１に記載のものに比して、大容量のケーブルを収容しうる利点がある。
しかし、通線空間内には、ケーブルを支持する手段がなく、かつ通線空間の両側端は、側板により閉塞されているので、ケーブルを左右方向に整然と並べて配線したり、上記と同様、複数連結した間仕切パネル本体に、左右方向に連続させて配線したりすることができない。
【０００６】
本発明は、上記問題点に鑑みてなされたもので、大容量のケーブル等を、左右方向を向く間仕切パネル本体の前面に沿って、左右方向に連続して整然と並べて配線しうるとともに、配線収容体を間仕切パネル本体の前面に強固に支持しうるようにした間仕切り装置を提供することを目的としている。
【課題を解決するための手段】
【０００７】
本発明によると、上記課題は、次のようにして解決される。
（１)床面に立設された、前後面にパネルが取付け可能なフレームを備える間仕切パネル本体における前記フレームの少なくとも前面に、左右両方向に開口する通線孔を有する複数の縦支持杆を、左右方向に間隔を設けて取付け、互いに隣接する縦支持杆の前面に、前面パネルを取付けることにより、前記間仕切パネル本体の前面に、左右及び上下方向に連続する通線空間を内部に有する配線収容体を設ける。
【０００８】
（２）上記(１)項において、フレームの前面に、上下１対の横支持杆を取付け、この両横支持杆における側端部の前面に、縦支持杆を固着する。
【０００９】
（３）上記(１)または(２)項において、左右の縦支持杆の対向面間に、配線トレーを架設する。
【００１０】
（４）上記(３)項において、配線トレーの両側端に下向側片を設け、この両下向側片を、縦支持杆の内側面に設けた互いに前後に対向する内向折曲片の上縁に、上方より係止することにより、配線トレーを、左右の縦支持杆の対向面に架設する。
【００１１】
（５）上記(３)または(４)項において、配線トレーの上面と縦支持杆の通線孔とを連続させる。
【００１２】
（６）上記(３)〜(５)項のいずれかにおいて、配線トレーに、上下両方向に開口する通線孔を設ける。
【００１３】
（７）上記(１)〜(６)項のいずれかにおいて、前面パネルの両側端部の後面に設けた係止部を、左右の縦支持杆の前面に設けた被係止部に係止することにより、前面パネルを、縦支持杆の前面に着脱可能に取付ける。
【００１４】
（８）上記(１)〜(７)項のいずれかにおいて、通線空間の上端の開口面を、左右の縦支持杆の上面に取付けた、一部が上下方向に弾性変形しうる上カバーにより閉塞する。
【００１５】
（９）上記(１)〜(８)項のいずれかにおいて、通線空間の側端の開口面を、縦支持杆の側面に着脱可能に取付けられたサイドカバーにより閉塞する。
【００１６】
（１０）上記(１)〜(９)項のいずれかにおいて、前面パネルを、左右複数に分割されたものとする。
【発明の効果】
【００１７】
請求項１記載の発明によれば、間仕切パネル本体の前面に、内部に通線空間を有する配線収容体を設けたことにより、通線空間内に、大容量のケーブル等を、間仕切パネル本体の前面に沿って、上下または左右方向に連続させて配線することができる。
【００１８】
また、配線収容体は、間仕切パネル本体のフレームに取付けられているので、配線収容体を床面に接床させることなく、間仕切パネル本体の前面に安定よく支持することができ、大容量のケーブル等を収容しても十分な強度を有する。
【００１９】
請求項２記載の発明によれば、フレームの剛性が、上下の横支持杆により高められるので、配線収容体が左右方向に長いものであっても、これを、間仕切パネル本体の前面に強固に支持することができる。
【００２０】
請求項３記載の発明によれば、配線トレー上に、大容量のケーブル等を、左右方向に整然と並べて配線することができる。
【００２１】
請求項４記載の発明によれば、配線トレーを、左右の縦支持杆の対向面間に、着脱自在に容易に取付けることができる。
【００２２】
請求項５記載の発明によれば、配線トレーに載置したケーブル等を、縦支持杆の通線孔より容易に引き出して、左右方向に並設された複数の間仕切パネル本体の配線収容体の通線空間に配線することができる。
【００２３】
請求項６記載の発明によれば、配線トレーに載置したケーブル等を、通線孔を介して上下方向にも配線しうるので、使い勝手がよくなる。
【００２４】
請求項７記載の発明によれば、前面パネルを取外すことにより、通線空間内への配線作業やメンテナンス等を、前方より容易に行うことができる。
【００２５】
請求項８記載の発明によれば、通線空間の内部が上カバーにより目隠しされるので、体裁がよくなるとともに、上カバーの一部を弾性変形させることにより、通線空間内にケーブル等を上方より引き込んだり、通線空間内のケーブル等を上方に引き出したりすることができる。
【００２６】
請求項９記載の発明によれば、通線空間の内部がサイドカバーにより目隠しされるので、体裁がよくなるとともに、サイドカバーを取外すことにより、左右方向に複数並設された間仕切パネル本体の配線収容体に、ケーブル等を連続して配線することができる。
【００２７】
請求項１０記載の発明によれば、前面パネルが複数に分割されているので、間仕切パネル本体及びその前面に設けた配線収容体の左右寸法を大きくしても、前面パネルの着脱作業を容易に行うことができる。
【発明を実施するための最良の形態】
【００２８】
以下、本発明の実施形態を、図面に基づいて説明する。
図１は、本発明の間仕切り装置の斜視図で、この間仕切り装置は、間仕切パネル本体１と、その前面(以下、図１の右方を前として説明する)に取付けられた配線収容体２と、この配線収容体２の前方に位置するようにして、間仕切パネル本体１の前面に取付けられた、これを支持するための支持体である側面視Ｌ字状の左右１対の脚体３、３及びテーブル４とを備えている。
【００２９】
図２は、脚体３及びテーブル４を取り外した状態の間仕切パネル本体１と、配線収容体２の右半部を分解して示す斜視図、図３は、同じく、一部切欠き拡大正面図、図４は、図３のIV-IV線拡大縦断側面図(脚体とテーブルは図示略)である。
【００３０】
間仕切パネル本体１は、左右１対の支柱５、５の上下両端部と上方寄りの中間部同士とを、上下３個の横連結杆６により連結して形成された、横長の方形枠状をなすフレーム７を備え、各横連結杆６の前後両面には、先端に互いに対向する上下１対の内向突片６a、６aを突設することにより、開口部の上下寸法が奥部内の上下寸法よりも小とされた、あり溝状の係止溝８が、左右方向に全長に亘って形成されている。
【００３１】
左右の支柱５の外側面には、側部カバー９、９が、また、最上部の横連結杆６の上面には、上部カバー１０が、それぞれ着脱可能に止着されている。
最下部の横連結杆６における両側端部の下面には、高さ調整用のアジャスタ１１、１１が取付けられている。
【００３２】
最上部の横連結杆６と中間部の横連結杆６との前後それぞれの対向面間には、上下寸法の小さな目隠しパネル１２、１２が、また、最下部の横連結杆６と中間部の横連結杆６との後部側の対向面間には、後部化粧パネル１３が、それぞれ、支柱５の前後両面に形成された上下複数の係合孔１４の少なくとも上下２個のものに、各パネル１２、１３における支柱５との対向面に突設された上下の係止爪(図示略)を係止することにより、取外し可能として装着されている。
【００３３】
次に、配線収容体２について詳細に説明する。なお、配線収容体２は、右半部と左半部が同一構成となっているため、右半部のみを説明する。
図２に示すように、右半部の配線収容体２は、左右方向を向く上下１対の横支持杆１５、１６と、左右対象をなす１対の縦支持杆１７、１７と、上下２個の配線トレー１８、１８と、前面パネル１９とを備えている。
【００３４】
上下の横支持杆１５、１６は、それぞれ鋼板により形成されたもので、間仕切パネル本体１における中間部と下部の横連結杆６、６及び左右の支柱５の前面に、次のようにして取付けられている。
【００３５】
図４に示すように、上部の横支持杆１５における両側端部の後面には、側面視上向き鉤状の係止片２０が固着され、この係止片２０を、中間部の横連結杆６の下面における前後の端縁に下向き突設された左右方向を向く前後１対の突条片２１、２１の前部側のものに、後下方より係合させたのち、横支持杆１５の下端に全長に亘って連設された、側面視倒立Ｌ字状断面をなす後向折曲片１５aの両側端部を、左右の支柱５の前面に、止めねじ２２をもって固定することにより、上部の横支持杆１５は、その上端が、中間部の横連結杆６の突片６aの下面に当接または近接するようにして、中間部の横連結杆６の下部と左右の支柱５の中間部前面に取付けられている。なお、左右の係止片２０が横連結杆６の突条片２１に係合しているので、横支持片１５の上部が前方に倒れる恐れはない。
【００３６】
下部の横支持杆１６における両側端部の後面には、側面視下向鉤状の係止片２３が固着され、この係止片２３を、下部の横連結杆６における上面の中央部に上向き突設された左右方向を向く前後１対の突条片２４の前部側のものに、後上方より係合させたのち、横支持杆１６の上端に全長に亘って連設された、側面視Ｌ字状断面をなす後向折曲片１６aの両側端部を、左右の支柱５の前面下部に、止めねじ２２をもって固定することにより、下部の横支持杆１６は、その下端が、下部の横連結杆６の内向突片６aの上面に当接または近接するようにして、下部の横連結杆６の上部と左右の支柱５の下部前面に取付けられている。
【００３７】
上下の横支持杆１５、１６における後向折曲片１５a、１６aの前面には、左右の支柱５、５と、中間部と下部の横連結杆６、６とにより囲まれた空間を閉塞する閉塞板２３の上下の端部が、複数のねじ２４により固定されている。
【００３８】
上記左右の縦支持杆１７、１７は、それぞれ、鋼板を折曲することにより、前面板１７aと後面板１７b、側面板１７c及び上面板１７dを有する縦長箱状に形成され、互いに対向する側面と下面は、配線用に開口してある。また、側面板１７cの上下の端部には、方形の通線孔２５、２５が形成され、この通線孔２５を通して、左右方向に連続して配線しうるようにしてある。
【００３９】
左右の縦支持杆１７は、それらの前面板１７aの上下の端部に形成された左右２個ずつの通孔２６から内部に挿入したボルト２７を、後面板１７bの図示しない取付孔を介して、上下の横支持杆１５、１６の側端部と中央部に設けた左右２個ずつの取付孔２８に挿入し、かつ各取付孔２８と対応する後面に溶接された左右２個ずつのナット２９に螺合させて締め付けることにより、上下の横支持杆１５、１６の側端部と中央部の前面に固着されている。
【００４０】
上下の配線トレー１８は、平板状鋼板よりなり、前端と後端には、左右方向を向く上向片１８aと下向片１８bが、また両側端には、下向側片１８c、１８cがそれぞれ連設されている。
配線トレー１８の上面には、上下方向に配線するための複数(実施形態では３個)の方形をなす通線孔３０が穿設されている。
【００４１】
上下の配線トレー１８は、図４に示すように、左右の下向側片１８cを、左右の縦支持杆１７における互いに対向する側の開口縁に連設された、互いに対向する内向折曲片１７e、１７eの切欠き段部の上縁に上方より係止したのち、内方より止めねじ３１をもって固定することにより、上向片１８aの前面と縦支持杆１７の前面とがほぼ整合するとともに、下向片１８bの後面が、閉塞板２３の前面と当接または近接するように、かつ上面が通線孔２５と連続するようにして、上下２段に取付けられている。なお、止めねじ３１は省略することもある。
【００４２】
上記前面パネル１９は、その両側端部後面に設けた、係止部としての上下１対の下向鉤状の係止フック３２、３２を、左右の縦支持杆１７における前面板１７aの上下両端部に設けた、被係止部としての係止孔３３、３３に係止することにより、両縦支持杆１７と上下の配線トレー１８の前面を覆うようにして、着脱可能に取付けられている。
前面パネル１９の取付後において、その後面と閉塞板２３の前面との間に、通線空間Ｓが形成される。
【００４３】
左右の縦支持杆１７における上面板１７dには、上カバー３４が、その両側端部下面のスペーサ３５に取付けた公知の止め具３５aを、上面板１７dに設けた係合孔(図示略)に弾性係合させることにより、着脱可能に止着されている。
図４に示すように、上カバー３４の後端と横支持杆１５の前面との間には、テーブル４で使用されるＯＡ機器等のケーブルなどを通線空間Ｓ内に引き込んだり、上方に引き出したりするための配線取出口３６が、左右方向に沿って形成され、この配線取出口３６は、上カバー３４の後端部に取付けられた、上下方向に弾性変形可能なゴムまたはエラストマーよりなるカバー片３７により塞がれている。
【００４４】
側端部の縦支持杆１７の外側面には、サイドカバー３８が、その内側面の下部と上部寄りに突設された前後２個ずつの下向鉤状の係止フック３９を、側面板１７cの上下の通線孔２５の下縁部に係止することにより、着脱可能に取付けられている。なお、間仕切パネル本体１を左右方向に複数並べて設置する際には、各間仕切パネル本体１に設けた配線収容体２の通線空間Ｓ同士が、互いに左右方向に連通するように、サイドカバー３７は省略して実施される。
【００４５】
また、上記と同様の配線収容体２を、間仕切パネル本体１のフレーム７の後面側にも取付けることができるが、この際には、前後の配線収容体２の通線空間Ｓ同士を連通させて、間仕切パネル本体１を挟む前後両方向にも配線しうるように、閉塞板２３を省略することもある。
【００４６】
配線収容体２、すなわちそれを構成している全ての部材は、間仕切パネル本体１のフレーム７に取外し可能に取付けられているので、もし、配線収容体２が不要となった際には、これを取外してフレーム７の前面に化粧パネルを取付けることにより、通常仕様の間仕切り装置に変更することもできる。
【００４７】
次に、図５〜図７を参照して、上記脚体３、３の間仕切パネル本体１への連結構造について説明する。なお、図１に示すように、脚体３は、その垂直をなす脚柱３aの上下の端部が、間仕切パネル本体１における中間部と下部の横連結杆６の前面に連結されるものであるが、上下の連結構造は同一であるため、上部のみ説明し、下部のものは省略する。
【００４８】
脚柱３aの上端部は、アルミニウム合金等よりなる前後方向を向く左右２個の連結アーム４０、４０と、左右２個の連結金具４１、４１とにより、中間部の横連結杆６の前面に、次のようにして連結されている。
【００４９】
連結アーム４０、４０は、左右対称で、かつ上述した配線収容体２の前後寸法よりも長寸をなし、後端部には、横連結杆６の上下の内向突片６a、６aの前面に当接可能な上下寸法の平面視直角三角形状の固定部４０a、４０aが、互いに外側方に反対向きに一体的に連設されている。
固定部４０aを含む連結アーム４０の外側面には、前後方向を向く凹溝４２が、前端部まで形成され、固定部４０aにおける前後両面が垂直をなす固定片４０bには、前後方向を向く取付孔４３が穿設されている。
【００５０】
両固定片４０bの後面の外側端部と対向端側には、それぞれ横連結杆６の上下の内向突片６a間に嵌合可能な突部４４、４５が後向きに突設されている。対向端側の両突部４５、４５は、両連結アーム４０の対向面側にも突出し、図６に示すように、互いの対向面が当接しうるようになっている。この当接時において、両連結アーム４０の対向面間に、脚柱３aの左右寸法とほぼ等しい幅の隙間４６が形成されるようにしてある。各連結アーム４０の突部４４、４５は、連結金具４１が嵌合しうる寸法だけ離間させてある。
【００５１】
左右の連結アーム４０の前端部には、ボルト４７を挿入しうるとともに、ナット４８を回り止めして挿入可能な左右方向を向く段付孔４９、４９が、左右対称をなすように形成され、いずれか一方の段付孔４９に挿入したナット４８に、他方の段付孔４９より挿入したボルト４７を螺合することにより、両連結アーム４０の前端部同士が固定されるようになっている。
両連結アーム４０における段付孔４９を挟む前端部の対向面には、上下方向を向く前後１対の突部５０、５０が突設されている。
【００５２】
上記左右の連結金具４１は、横連結杆６の上下の内向突片６a間に嵌合可能な垂直平板状の基片４１aと、この基片４１aの両側端に連設され、上端に上向きの係合突部４１bを有する側片４１c、４１cとを備え、基片４１aの中央には、めねじ孔５１が設けられている。
【００５３】
脚体３を横連結杆６の前面に取付けるには、まず２個の連結金具４１を係止溝８に嵌合して、それらの係合突部４１bを上部の内向突片６aの後面に係合させる。
ついで、左右の連結アーム４０における固定部４０aの後面の突部４４、４５を、係止溝８に嵌合するとともに、両突部４４、４５間に連結金具４１を嵌合させて、固定片４０bの後面を上下の内向突片６aの前面に当接し、この状態で、固定片４０bに設けた取付孔４３に前方より挿入したボルト５２を、連結金具４１のめねじ孔５１に螺合し、両連結アーム４０を横連結杆６の前面に仮固定する。
【００５４】
ついで、脚柱３aの上端部を、左右の連結アーム４０の前端部間に挾入し、脚柱３aの上端部に穿設された縦長の嵌合孔５３と、後方及び両側方に開口する切欠き孔５４とに、両連結アーム４０の前後の突部５０、５０を嵌合させたのち、一方の連結アーム４０の段付孔４９より挿入したボルト４７を、脚柱３aの上端部の通孔５５に挿通し、他方の連結アーム４０の段付孔４９に挿入したナット４８に螺合させて締め付ける。
【００５５】
ついで、上記ボルト５２を強く締め付けると、連結金具４１の係合突部４１bが内向突片６aの後面に強く係合し、かつ固定片４０bの後面が上下の内向突片６aの前面に押し付けられることにより、左右の連結アーム４０は、両内向突片６aを挟んで、横連結杆６の前面に強固に固定されるとともに、脚体３も、両連結アーム４０を介して横連結杆６に強固に連結される。連結後において、脚体３の前方を向くベース脚３bの前端に設けたアジャスタ５６が、床面に接床することにより、間仕切パネル本体１が安定よく支持され、前方に倒れるのが防止される。
【００５６】
連結アーム４０の前後寸法を、配線収容体２の前後寸法より長寸としてあるので、図１に示すように、脚体３の連結後において、脚柱３aと配線収容体２の前面パネル１９との間には、前面パネル１９を着脱しうるだけの空間５７が形成される。従って、脚体３を間仕切パネル本体１に連結したままで、前面パネル１９を取り外し、配線作業を容易に行うことができる。
また、配線収容体２は、上位の連結アーム４０よりも下方に位置しているので、配線収容体２の上面に取付けた上カバー３４も、脚体３を連結したままで着脱することができる。
なお、横連結杆６の係止溝８は、左右方向に連続しているので、ボルト５２を緩めるだけで、脚体３の位置を左右方向に容易に変更することができる。
【００５７】
上述したテーブル４は、図１及び図８に示すように、前部下端にアジャスタ５８を有する左右１対の側脚５９、５９と、それらの上端部に固着された前後方向を向く支持杆６０と、その上面に支持固定された天板６１とからなり、上記と同様、間仕切パネル本体１における中間部と下部の横連結杆６の前面に連結されている。
すなわち、上記と同形をなす１個の連結アーム４０の後端を、上記と同じ連結金具(図示略)を用いて、上下の横連結杆６の前面の係止溝８に取付けた後、両連結アーム４０の前端部に、左右の側脚５９における上下両端部の内側面をねじにより固定することにより、テーブル４は、両側脚５９の後端と配線収容体２の前面との間に、配線収容体２の前面パネル１９を着脱しうるだけの空間６２が形成されるようにして、かつ左右位置を変更可能として、上下の横連結杆６の前面に連結されている。
これにより、間仕切パネル本体１の前面に、テーブル４を安定よく連結しうるとともに、間仕切パネル本体１もテーブル４により安定して支持される。
また、テーブル４を間仕切パネル本体１に連結したままで、配線収容体２の前面パネル１９の着脱が可能となり、配線作業を容易に行うことができる。
さらに、図８に示すように、配線収容体２の上カバー３４は、上位の連結アーム４０の下方に位置しているので、テーブル４を連結したまま、上カバー３４を着脱することができる。
【００５８】
連結後において天板６１は、配線収容体２の上方に位置するとともに、後端を間仕切パネル本体１の前面より離間させることにより、配線収容体２の上方に配線挿通空間６３が形成されるようにしてあり、天板６１に載置したＯＡ機器等のケーブルを、配線挿通空間６３より通線空間Ｓ内に引き込むことができるようにしてある。
【００５９】
以上説明したように、上記実施形態の間仕切り装置においては、間仕切パネル本体１の前面に、内部に通線空間Ｓを有する配線収容体２を、間仕切パネル本体１の前面に沿って左右方向に設けたことにより、通線空間Ｓ内に設けた配線トレー１８に大容量のケーブル等を載置して、左右方向に連続して整然と配線することができる。
【００６０】
また、配線収容体２は、間仕切パネル本体１のフレーム７に強固に取付けられているので、配線収容体２が左右方向に長いものであっても、床面に接床することなく、間仕切パネル本体１の前面に安定よく取付けることができ、大容量のケーブル等を収容しても十分な強度を有する。
【００６１】
さらに、複数の間仕切パネル本体１を並べて設置した際でも、配線収容体２のサイドカバー３８を取外すことにより、各間仕切パネル本体１の前面に、左右方向に連続する通線空間を形成することができる。
【００６２】
上記実施形態においては、間仕切パネル本体１におけるフレーム７の前面にのみ、配線収容体２を設けているが、フレーム７の後面にも、上記実施形態と同一構造の配線収容体を設けてもよいことは勿論である。
【図面の簡単な説明】
【００６３】
【図１】本発明の間仕切り装置の一実施形態の斜視図である。
【図２】同じく、右半部の配線収容体を分解した間仕切パネル本体の斜視図である。
【図３】同じく、一部切欠き拡大正面図である。
【図４】図３のIV-IV線拡大縦断側面図である。
【図５】横連結杆と脚体との連結部の拡大分解斜視図である。
【図６】同じく連結後の拡大横断平面図である。
【図７】図６のVII-VII線縦断側面図である。
【図８】脚体を省略して示す間仕切り装置の側面図である。
【符号の説明】
【００６４】
１    間仕切パネル本体
２    配線収容体
３    脚体
３a   脚柱
３b   ベース脚
４    テーブル
５    支柱
６    横連結杆
６a   内向突片
７    フレーム
８    係止溝
９    側部カバー
１０  上部カバー
１１  アジャスタ
１２  目隠しパネル
１３  後部化粧パネル
１４  係合孔
１５  横支持杆
１５a 後向折曲片
１６  横支持杆
１６a 後向折曲片
１７  縦支持杆
１７a 前面板
１７b 後面板
１７c 側面板
１７d 上面板
１７e 内向折曲片
１８  配線トレー
１８a 上向片
１８b 下向片
１８c 下向側片
１９  前面パネル
２０  係止片
２１  突条片
２２  止めねじ
２３  閉塞板
２４  ねじ
２５  通線孔
２６  通孔
２７  ボルト
２８  取付孔
２９  ナット
３０  通線孔
３１  止めねじ
３２  係止フック
３３  係止孔
３４  上カバー
３５  スペーサ
３５a  止め具
３６  配線取出口
３７  カバー片
３８  サイドカバー
３９  係止フック
４０  連結アーム
４０a 固定部
４０b 固定片
４１  連結金具
４１a 基片
４１b 係合突部
４１c 側片
４２  凹溝
４３  取付孔
４４  突部
４５  突部
４６  隙間
４７  ボルト
４８  ナット
４９  段付孔
５０  突部
５１  めねじ孔
５２  ボルト
５３  嵌合孔
５４  切欠き孔
５５  通孔
５６  アジャスタ
５７  空間
５８  アジャスタ
５９  側脚
６０  支持杆
６１  天板
６２  空間
６３  配線挿通空間
Ｓ    通線空間
【図１】
0005103135.tif 000002
【図２】
0005103135.tif 000003
【図３】
0005103135.tif 000004
【図４】
0005103135.tif 000005
【図５】
0005103135.tif 000006
【図６】
0005103135.tif 000007
【図７】
0005103135.tif 000008
【図８】
0005103135.tif 000009